(57)【特許請求の範囲】
【請求項１】
一対の帯状の基材と、前記一対の基材に設けられた第１の嵌合部及び第２の嵌合部を有する嵌合具であって、
前記第１の嵌合部が、一方の基材の対向面に長手方向に沿って設けられた突条の第１の雄側嵌合部と、他方の基材の対向面に設けられ、前記第１の雄側嵌合部に着脱自在に嵌合する第１の雌側嵌合部とを有し、
前記第２の嵌合部が、前記他方の基材の対向面に長手方向に沿って設けられた突条の第２の雄側嵌合部と、前記一方の基材の対向面に設けられ、前記第２の雄側嵌合部に着脱自在に嵌合する第２の雌側嵌合部とを有し、
前記第１の嵌合部と前記第２の嵌合部を嵌合したときに、前記第１の雌側嵌合部と前記第２の雌側嵌合部の高さ方向の一部の側面同士が長手方向に連続的に密着し、前記第１の雌側嵌合部と前記第２の雌側嵌合部の間の密着していない部分に隙間が形成されることを特徴とする嵌合具。
【請求項２】
内容物を収容する袋本体と、該袋本体の開口部の内面に設けられた請求項１に記載の嵌合具とを具備する嵌合具付き袋体。
【発明の詳細な説明】
【技術分野】
【０００１】
本発明は、嵌合具及び嵌合具付き袋体に関する。
【背景技術】
【０００２】
食品、薬品、雑貨等の様々な分野において、袋本体の開口部近傍の内面に、開口部を開閉自在に封じる嵌合具が取り付けられた嵌合具付き袋体が広く用いられている。
例えば、図１１に例示した嵌合具１００を備えた嵌合具付き袋体が知られている（例えば、特許文献１）。嵌合具１００は、一対の帯状の基材１１１，１１２のそれぞれの対向面１１１ａ，１１２ａに、突条の雄側嵌合部１１３及び該雄側嵌合部１１３に着脱自在に嵌合する雌側嵌合部１１４が、それら基材１１１，１１２の長手方向に沿ってそれぞれ設けられている。雄側嵌合部１１３は、基材１１１の対向面１１１ａから立ち上がる幹部１１３ａと、幹部１１３ａの先端側に設けられた該幹部１１３ａよりも大きな頭部１１３ｂとを有している。一方、雌側嵌合部１１４は、もう一方の基材１１２の対向面１１２ａから円弧状に立ち上がる一対のアーム部１１４ａ，１１４ｂを有し、それら一対のアーム部１１４ａ，１１４ｂによって凹部１１４ｃが形成されている。
【０００３】
嵌合具１００を備えた嵌合具付き袋体では、嵌合具１００の雄側嵌合部１１３の頭部１１３ｂを雌側嵌合部１１４の凹部１１４ｃに嵌め込んで嵌合することにより、袋体に形成した開口部を閉じることができる。また、嵌合具１００が取り付けられた袋本体の各々の開口端をそれぞれ把持し、それらを離間する方向に引っ張り、雄側嵌合部１１３の頭部１１３ｂを雌側嵌合部１１４の凹部１１４ｃから脱離させることで、袋体を再び開封することができる。
【先行技術文献】
【特許文献】
【０００４】
【特許文献１】特開２００３−１４０１４７号公報
【発明の概要】
【発明が解決しようとする課題】
【０００５】
しかし、嵌合具１００のような従来の嵌合具を備えた嵌合具付き袋体では、雄側嵌合部１１３と雌側嵌合部１１４を嵌合しても優れた密封性を得ることが困難である。具体的には、雄側嵌合部１１３と雌側嵌合部１１４を嵌合した際、雄側嵌合部１１３の頭部１１３ｂと雌側嵌合部１１４の凹部１１４ｃの間にはわずかに隙間が生じており、その隙間を通って外気が袋体の内部に侵入する。そのため、雄側嵌合部１１３と雌側嵌合部１１４を嵌合して袋体の開口部を閉じても、保存中に徐々に袋体内に外気が侵入し、内容物が湿気を含む等の不具合が生じる。
【０００６】
本発明は、嵌合した際の密封性が優れ、袋体内の内容物の品質を長期間安定して保持できる嵌合具、及び該嵌合具を備えた嵌合具付き袋体の提供を目的とする。
【課題を解決するための手段】
【０００７】
本発明の嵌合具は、一対の帯状の基材と、前記一対の基材に設けられた第１の嵌合部及び第２の嵌合部を有する嵌合具であって、
前記第１の嵌合部が、一方の基材の対向面に長手方向に沿って設けられた突条の第１の雄側嵌合部と、他方の基材の対向面に設けられ、前記第１の雄側嵌合部に着脱自在に嵌合する第１の雌側嵌合部とを有し、
前記第２の嵌合部が、前記他方の基材の対向面に長手方向に沿って設けられた突条の第２の雄側嵌合部と、前記一方の基材の対向面に設けられ、前記第２の雄側嵌合部に着脱自在に嵌合する第２の雌側嵌合部とを有し、
前記第１の嵌合部と前記第２の嵌合部を嵌合したときに、前記第１の雌側嵌合部と前記第２の雌側嵌合部の高さ方向の一部の側面同士が長手方向に連続的に密着し、前記第１の雌側嵌合部と前記第２の雌側嵌合部の間の密着していない部分に隙間が形成されることを特徴とする。
【０００８】
また、本発明の嵌合具付き袋体は、内容物を収容する袋本体と、該袋本体の開口部の内面に設けられた本発明の嵌合具とを具備することを特徴とする。
【発明の効果】
【０００９】
本発明の嵌合具は、嵌合した際の密封性が優れ、袋体内の内容物の品質を長期間安定して保持できる。
また、本発明の嵌合具付き袋体は、本発明の嵌合具を備えているため、密封性に優れ、袋体内の内容物の品質を長期間安定して保持できる。
【図面の簡単な説明】
【００１０】
【図１】本発明の嵌合具の一例を示した断面図である。
【図２】図１の嵌合具の第１の嵌合部及び第２の嵌合部を拡大した断面図である。
【図３】本発明の嵌合具付き袋体の一例を示した正面図である。
【図４】図３の嵌合具付き袋体を直線Ｉ−Ｉ’で切断したときの断面図である。
【図５】図３の嵌合具付き袋体を開封した様子を示した斜視図である。
【図６】本発明の嵌合具の他の例を示した断面図である。
【図７】本発明の嵌合具の他の例を示した断面図である。
【図８】本発明の嵌合具の他の例を示した断面図である。
【図９】本発明の嵌合具の他の例を示した断面図である。
【図１０】本発明の嵌合具と比較するための参考例の嵌合具における嵌合部を拡大した断面図である。
【図１１】従来の嵌合具の一例を示した断面図である。
【発明を実施するための形態】
【００１１】
［嵌合具］
以下、本発明の嵌合具の一例を示して詳細に説明する。図１及び図２は、本発明の嵌合具の一例である嵌合具１０を長手方向に対して垂直に切断したときの断面図である。なお、他の嵌合具の断面図についても同様に、長手方向に対して垂直に切断したときの断面図である。
嵌合具１０は、図１及び図２に示すように、一対の帯状の第１の基材１２及び第２の基材１４と、第１の基材１２及び第２の基材１４に長手方向に沿って設けられた第１の嵌合部１６及び第２の嵌合部１８を有している。
【００１２】
第１の嵌合部１６は、第１の基材１２の対向面１２ａに長手方向に沿って設けられた突条の第１の雄側嵌合部２０と、第２の基材１４の対向面１４ａに長手方向に沿って設けられた、第１の雄側嵌合部２０と着脱自在に嵌合する第１の雌側嵌合部２２を有している。
第２の嵌合部１８は、第２の基材１４の対向面１４ａに長手方向に沿って設けられた突条の第２の雄側嵌合部２４と、第１の基材１２の対向面１２ａに長手方向に沿って設けられた、第２の雄側嵌合部２４と着脱自在に嵌合する第２の雌側嵌合部２６を有している。
すなわち、嵌合具１０は、第１の基材１２及び第２の基材１４に、第１の嵌合部１６の第１の雄側嵌合部２０及び第１の雌側嵌合部２２と、第２の嵌合部１８の第２の雄側嵌合部２４及び第２の雌側嵌合部２６が互い違いに設けられた嵌合具である。
嵌合具１０は、第１の嵌合部１６の第１の雄側嵌合部２０と第１の雌側嵌合部２２を嵌合し、同時に第２の嵌合部１８の第２の雄側嵌合部２４と第２の雌側嵌合部２６を嵌合することで、袋体に形成した開口部を開閉自在に閉じることができる。
【００１３】
第１の基材１２は、特に限定されず、公知の嵌合具の基材に使用されるものが使用でき、積層フィルムからなる基材が好ましい。積層フィルムからなる第１の基材１２としては、例えば、対向面１２ａ側から、耐熱層とヒートシール層が積層されたフィルムが挙げられる。また、第１の基材１２は、耐熱層とヒートシール層の間にバリア層を有していてもよい。
耐熱層の材質としては、二軸延伸ナイロン、二軸延伸ポリプロピレン等が挙げられる。
ヒートシール層の材質としては、直鎖状低密度ポリエチレン、無延伸ポリプロピレン、エチレン−酢酸ビニル共重合体、アイオノマー等が挙げられる。
バリア層の材質としては、ポリビニルアルコール等が挙げられる。
【００１４】
第１の基材１２は、１種の樹脂からなっていてもよく、２種以上の樹脂を含む樹脂組成物からなっていてもよい。また、必要に応じて安定剤、酸化防止剤、滑剤、帯電防止剤、着色剤等の公知の添加剤が添加されていてもよい。
また、第１の基材１２は、積層フィルムからなる基材には限定されず、単層フィルムからなる基材であってもよい。
第２の基材１４としては、第１の基材１２と同じ基材が挙げられ、好ましい態様も同じである。
【００１５】
第１の嵌合部１６の第１の雄側嵌合部２０は、図２に示すように、第１の基材１２の対向面１２ａから立ち上がる幹部２０ａと、幹部２０ａの先端側に設けられ、幹部２０ａよりも大きい断面円形状の頭部２０ｂを有している。
第１の雌側嵌合部２２は、第２の基材１４の対向面１４ａから断面円弧状に立ち上がる一対の第１のアーム部２２ａと第２のアーム部２２ｂからなり、第１のアーム部２２ａと第２のアーム部２２ｂによって凹部２２ｃが形成されている。
第１の嵌合部１６は、第１の雄側嵌合部２０の頭部２０ｂを第１の雌側嵌合部２２の凹部２２ｃに嵌め込むことで、着脱自在に嵌合できるようになっている。
【００１６】
第２の嵌合部１８の第２の雄側嵌合部２４は、第１の雄側嵌合部２０と同様の形状であり、第２の基材１４の対向面１４ａから立ち上がる幹部２４ａと、幹部２４ａの先端側に設けられ、幹部２４ａよりも大きい断面円形状の頭部２４ｂを有している。
第２の雌側嵌合部２６は、第１の雌側嵌合部２２と同様の形状であり、第１の基材１２の対向面１２ａから断面円弧状に立ち上がる一対の第３のアーム部２６ａと第４のアーム部２６ｂからなり、第３のアーム部２６ａと第４のアーム部２６ｂによって凹部２６ｃが形成されている。
第２の嵌合部１８は、第２の雄側嵌合部２４の頭部２４ｂを第２の雌側嵌合部２６の凹部２６ｃに嵌め込むことで、着脱自在に嵌合できるようになっている。
【００１７】
嵌合具１０は、第１の嵌合部１６と第２の嵌合部１８を嵌合したときに、第１の嵌合部１６の第１の雌側嵌合部２２と第２の嵌合部１８の第２の雌側嵌合部２６の側面同士が密着することを特徴とする。具体的には、第１の嵌合部１６と第２の嵌合部１８を嵌合したときに、第１の雌側嵌合部２２における第２のアーム部２２ｂと、第２の雌側嵌合部２６における第３のアーム部２６ａとが密着する。これにより、優れた密封性が得られ、袋体内の内容物の品質を長期間安定して保持することができる。前記効果が得られる要因は、以下のように考えられる。
【００１８】
前述したように、嵌合具１００（図１１）のような従来の嵌合具では、雄側嵌合部１１３と雌側嵌合部１１４を嵌合しても、雄側嵌合部１１３の頭部１１３ｂと雌側嵌合部１１４の凹部１１４ｃの間にわずかに生じた隙間から、外気が徐々に袋体の内部に侵入する。
これに対し、嵌合具１０は、第１の嵌合部１６と第２の嵌合部１８の２つの嵌合部を有している。そのため、外気が侵入するには、第１の雄側嵌合部２０の頭部２０ｂと第１の雌側嵌合部２２の凹部２２ｃの隙間と、第２の雄側嵌合部２４の頭部２４ｂと第２の雌側嵌合部２６の凹部２６ｃの隙間を通過する必要がある。このように、雄側嵌合部と雌側嵌合部の隙間を通過する回数が増えるため、嵌合具１０は嵌合具１００に比べて外気を袋体の内部に侵入させ難い。
【００１９】
また、嵌合具１０は、第１の嵌合部１６の第１の雄側嵌合部２０及び第１の雌側嵌合部２２と、第２の嵌合部１８の第２の雄側嵌合部２４及び第２の雌側嵌合部２６とが、それぞれの雄側嵌合部と雌側嵌合部が互い違いになるように第１の基材１２と第２の基材１４に設けられている。そのため、外気が侵入するには、図２に示すように、第１の嵌合部１６の第１の雄側嵌合部２０と第１の雌側嵌合部２２の間を通過した後、第１の雌側嵌合部２２と第２の雌側嵌合部２６の間を通過し、さらに第２の雄側嵌合部２４と第２の雌側嵌合部２６の間を通過する必要がある。しかし、嵌合具１０では、第１の雌側嵌合部２２の第２のアーム部２２ｂと第２の雌側嵌合部２６の第３のアーム部２６ａとが密着し、第１の雌側嵌合部２２と第２の雌側嵌合部２６の間が閉じられた状態になっているため、たとえ外気が第１の雄側嵌合部２０と第１の雌側嵌合部２２の間を通過しても、袋体内まで侵入することを抑制することができる。
【００２０】
隣り合う２つの嵌合部の雌側嵌合部の側面同士を密着させても、それらの雌側嵌合部が同一の基材に設けられていると前記効果は得られない。例えば、図１０に例示した嵌合具２１０を例に説明する。なお、図１０における図２と同じ部分は、便宜上、同符号を付して説明を省略する。嵌合具２１０は、第２の雄側嵌合部２４が第１の基材１２に設けられ、第２の雌側嵌合部２６が第２の基材１４に設けられている以外は嵌合具１０と同じである。すなわち、嵌合具２１０は、第１の雌側嵌合部２２と第２の雌側嵌合部２６が共に第２の基材１４に設けられ、それらの側面同士が密着している。
この嵌合具２１０では、第１の嵌合部１６の第１の雄側嵌合部２０と第１の雌側嵌合部２２の間を通過した外気は、第１の雌側嵌合部２２と第２の雌側嵌合部２６の間を通過することなく、第２の雄側嵌合部２４と第２の雌側嵌合部２６の間に到達する。そのため、嵌合具２１０では、第１の雌側嵌合部２２と第２の雌側嵌合部２６の側面同士を密着させても、密封性を向上させる効果は得られない。
嵌合具１０では、第１の嵌合部１６と第２の嵌合部１８のそれぞれの雄側嵌合部と雌側嵌合部を第１の基材１２と第２の基材１４に互い違いに設けることで、第１の雌側嵌合部２２と第２の雌側嵌合部２６の間を通過しなければ外気が袋体内に侵入できないようにし、そのうえで第１の雌側嵌合部２２と第２の雌側嵌合部２６の間を閉じることで優れた密封性を達成している。
【００２１】
第１の嵌合部１６は、図２に示すように、第１の雄側嵌合部２０と第１の雌側嵌合部２２を嵌合したときに、第１の雌側嵌合部２２の内面が全て第１の雄側嵌合部２０の外面に密着することが好ましい。すなわち、第１の雄側嵌合部２０と第１の雌側嵌合部２２を嵌合したときに、第１の雌側嵌合部２２の凹部２２ｃ内に空間が形成されないようになっていることが好ましい。これにより、外気が第１の雄側嵌合部２０と第１の雌側嵌合部２２の間を通過することが抑制される。そのため、密封性がさらに向上し、袋体内の内容物の品質をより安定して長期間保持できる。
第２の嵌合部１８も同様に、第２の雄側嵌合部２４と第２の雌側嵌合部２６を嵌合したときに、第２の雌側嵌合部２６の内面が全て第２の雄側嵌合部２４の外面に密着するようになっていることが好ましい。すなわち、第２の雄側嵌合部２４と第２の雌側嵌合部２６を嵌合したときに、第２の雌側嵌合部２６の凹部２６ｃ内に空間が形成されないようになっていることが好ましい。これにより、密封性がさらに向上し、袋体内の内容物の品質をより安定して長期間保持できる。
【００２２】
以下、本発明の嵌合具付き袋体の一例として、前述した嵌合具１０を備えた嵌合具付き袋体１（以下、「袋体１」という。）について説明する。
本実施形態の袋体１は、図３に示すように、内容物を収容する密封された状態の袋本体４０と、袋本体４０の上部の内面に、横方向に沿って取り付けられた嵌合具１０とを具備している。
袋本体４０は、第１のフィルム材４２と第２のフィルム材４４が重ね合わされ、それらの周縁部４６が全てヒートシールされることで形成されており、密封された状態になっている。また、袋本体４０における嵌合具１０よりも上部側には、横方向に沿って切断補助線４８が設けられており、その端部にノッチ５０が形成されている。
嵌合具１０は、図４に示すように、嵌合具１０の第１の基材１２の外面１２ｂが袋本体４０の第１のフィルム材４２に溶着され、嵌合具１０の第２の基材１４の外面１４ｂが袋本体４０の第２のフィルム材４４に溶着されている。
【００２３】
袋本体４０の形状は、本実施形態では矩形である。ただし、袋本体４０の形状は矩形には限定されない。また、袋本体４０の大きさも特に限定されず、袋本体４０に収容する内容物によって適宜選定すればよい。
【００２４】
袋本体４０を形成する第１のフィルム材４２と第２のフィルム材４４は、ヒートシールにより嵌合具１０を溶着できるものであればよく、内面側からシーラント層と基材層を少なくとも有する積層フィルムが好ましい。
基材層としては、二軸延伸ナイロン、二軸延伸ポリプロピレン等が挙げられる。
シーラント層としては、直鎖状低密度ポリエチレン、無延伸ポリプロピレン、エチレン−酢酸ビニル共重合体、アイオノマー等が挙げられる。
また、前記積層フィルムには、バリア層等の機能層を設けてもよい。
また、第１のフィルム材４２と第２のフィルム材４４は、シーラント層のみからなる単層フィルムであってもよい。
【００２５】
切断補助線４８は、袋本体４０を切断して開封するのを補助する線である。切断補助線４８としては、例えば、袋本体４０の第１のフィルム材４２及び第２のフィルム材４４における切断補助線４８の部分をそれ以外の部分に比べて薄肉化した弱化線、ミシン目からなる弱化線、列状に形成された細孔からなる弱化線が挙げられる。また、切断補助線４８は、前記弱化線には限定されず、ハサミやカッター等で切断する位置を示す、印刷等で形成した線であってもよい。
切断補助線４８は、本実施形態では袋本体４０の幅方向に沿って形成されているが、この形態には限定されず、袋本体４０の幅方向に対して傾斜して設けられていてもよい。
【００２６】
ノッチ５０の形状は、この例では三角形状であるが、特に限定されず、半円形状、直線状等であってもよい。
【００２７】
袋体１は、ノッチ５０から切断補助線４８に沿って袋本体４０の上部を切断して除去することで、図５に示すように、上部に開口部５２を形成して開封することができる。袋体１に形成した開口部５２は、嵌合具１０の第１の嵌合部１６と第２の嵌合部１８を嵌合することで繰り返し開閉できる。
袋体１は、嵌合具１０を用いているため、優れた密封性が得られ、袋体内の内容物の品質を安定して長期間保持することができる。
【００２８】
なお、本発明の嵌合具及び嵌合具付き袋体は、雄側嵌合部と雌側嵌合部が互い違いに設けられた第１の嵌合部と第２の嵌合部を有し、それらの雌側嵌合部の側面同士が密着した形態であれば、前記した嵌合具１０及び袋体１には限定されない。
例えば、図６に例示した嵌合具１０Ａであってもよい。便宜上、図６における図１と同じ部分には同符号を付して説明を省略する。嵌合具１０Ａは、第１の嵌合部１６及び第２の嵌合部１８の代わりに第１の嵌合部１６Ａ及び第２の嵌合部１８Ａを有する以外は嵌合具１０と同じである。
第１の嵌合部１６Ａは、第１の基材１２の対向面１２ａに設けられ、幹部２０ａの先端から、第１の基材１２に向かって両側に折り返すように形成された頭部２０ｃを有する矢印形状の第１の雄側嵌合部２０Ａと、第２の基材１４の対向面１４ａに設けられ、アームの先端が内側に折れ曲がった形状の第１のアーム部２２ｄ及び第２のアーム部２２ｅを有する第１の雌側嵌合部２２Ａと、を有する。第１の雄側嵌合部２０Ａと第１の雌側嵌合部２２Ａは、それらを嵌合した際に、第１の雄側嵌合部２０Ａの頭部２０ｃの両方の先端が第１の雌側嵌合部２２Ａの凹部２２ｆの内面に密着し、第１の雌側嵌合部２２Ａの第１のアーム部２２ｄ及び第２のアーム部２２ｅの先端がそれぞれ第１の雄側嵌合部２０Ａの幹部２０ａに密着する。第２の嵌合部１８Ａは、第２の基材１４の対向面１４ａに設けられている以外は第１の雄側嵌合部２０Ａと同形状の第２の雄側嵌合部２４Ａと、第１の基材１２の対向面１２ａに設けられている以外は第１の雌側嵌合部２２Ａと同形状の第２の雌側嵌合部２６Ａを有している。第２の雄側嵌合部２４Ａと第２の雌側嵌合部２６Ａは、第１の雄側嵌合部２０Ａ及び第１の雌側嵌合部２２Ａと同様に、嵌合したときに第２の雄側嵌合部２４Ａの頭部の先端が第２の雌側嵌合部２６Ａの凹部の内面に密着し、第２の雌側嵌合部２６Ａのアーム部の先端が第２の雄側嵌合部２４Ａの幹部に密着する。
嵌合具１０Ａは、このように、第１の嵌合部１６Ａの第１の雄側嵌合部２０Ａ及び第１の雌側嵌合部２２Ａと、第２の嵌合部１８Ａの第２の雄側嵌合部２４Ａ及び第２の雌側嵌合部２６Ａが互い違いに設けられ、さらに第１の雌側嵌合部２２Ａと第２の雌側嵌合部２６Ａの側面同士が密着している。
【００２９】
これにより、嵌合具１０Ａでは、嵌合具１０と同様に、たとえ外気が第１の嵌合部１６Ａの第１の雄側嵌合部２０Ａと第１の雌側嵌合部２２Ａの間を通過しても、第１の雌側嵌合部２２Ａと第２の雌側嵌合部２６Ａの間で外気の侵入が抑制される。また、第１の嵌合部１６Ａと第２の嵌合部１８Ａはいずれも、雄側嵌合部の頭部の先端が雌側嵌合部に密着し、かつ雌側嵌合部のアームの先端が雄側嵌合部に密着した形態である。このように、雄側嵌合部と雌側嵌合部の少なくとも一部が、嵌合した際に長手方向に沿って密着していることで、外気が該雄側嵌合部と雌側嵌合部の間を通過し難くなり、外気の侵入がさらに抑制される。そのため、より優れた密封性が得られ、袋体内の内容物の品質を安定して長期間保持することができる。
【００３０】
また、図７に例示した嵌合具１０Ｂであってもよい。便宜上、図７における図１と同じ部分には同符号を付して説明を省略する。嵌合具１０Ｂは、第１の嵌合部１６及び第２の嵌合部１８の代わりに第１の嵌合部１６Ｂ及び第２の嵌合部１８Ｂを有する以外は嵌合具１０と同じである。
第１の嵌合部１６Ｂは、第１の基材１２の対向面１２ａに設けられ、幹部２０ａの先端に、断面略半円形状の頭部２０ｄを有する第１の雄側嵌合部２０Ｂと、第２の基材１４の対向面１４ａに設けられ、嵌合した際にアームの先端が第１の雄側嵌合部２０Ｂの頭部２０ｄに引っ掛かる第１のアーム部２２ｇ及び第２のアーム部２２ｈを有する第１の雌側嵌合部２２Ｂと、を有する。第２の嵌合部１８Ｂは、第２の基材１４の対向面１４ａに設けられている以外は第１の雄側嵌合部２０Ｂと同形状の第２の雄側嵌合部２４Ｂと、第１の基材１２の対向面１２ａに設けられている以外は第１の雌側嵌合部２２Ｂと同形状の第２の雌側嵌合部２６Ｂを有している。
嵌合具１０Ｂは、このように、第１の嵌合部１６Ｂの第１の雄側嵌合部２０Ｂ及び第１の雌側嵌合部２２Ｂと、第２の嵌合部１８Ｂの第２の雄側嵌合部２４Ｂ及び第２の雌側嵌合部２６Ｂが互い違いに設けられ、さらに第１の雌側嵌合部２２Ｂと第２の雌側嵌合部２６Ｂの側面同士が密着している。たとえ外気が第１の嵌合部１６Ｂの第１の雄側嵌合部２０Ｂと第１の雌側嵌合部２２Ｂの間を通過しても、第１の雌側嵌合部２２Ｂと第２の雌側嵌合部２６Ｂの間で外気の侵入が抑制され、優れた密封性が得られる。
【００３１】
また、本発明の嵌合具は、嵌合部が２つのものには限定されない。例えば、嵌合部が３つ以上設けられた嵌合具であってもよい。
具体的には、例えば、図８に示すように、雄側嵌合部と雌側嵌合部が順次互い違いに設けられた３つの第１の嵌合部１６、第２の嵌合部１８及び第３の嵌合部２８を有する嵌合具１０Ｃであってもよい。便宜上、図８における図１と同じ部分には同符号を付して説明を省略する。嵌合具１０Ｃは、第３の嵌合部２８を有する以外は、嵌合具１０と同じである。
第３の嵌合部２８は、第１の嵌合部１６の第１の雄側嵌合部２０及び第１の雌側嵌合部２２と同形状の、第１の基材１２の対向面１２ａに設けられた第３の雄側嵌合部３０と、第２の基材１４の対向面１４ａに設けられた第３の雌側嵌合部３２を有している。そして、第２の嵌合部１８の第２の雌側嵌合部２６と第３の嵌合部２８の第３の雌側嵌合部３２の側面同士が密着している。
嵌合具１０Ｃでは、第１の嵌合部１６と第２の嵌合部１８の間に加えて、第２の嵌合部１８と第３の嵌合部２８の間でも外気の侵入が抑制されるので、さらに優れた密封性が得られる。
【００３２】
また、嵌合部が３つ以上の場合、それらは全て互い違いに設けられている必要はなく、また隣り合う全ての嵌合部同士が密着していなくてもよい。
例えば、図９に例示した嵌合具１０Ｄであってもよい。便宜上、図９における図１及び図８と同じ部分については同符号を付して説明を省略する。嵌合具１０Ｄは、第３の嵌合部２８が第２の嵌合部１８と離れて設けられている以外は嵌合具１０Ｃと同じである。嵌合具１０Ｄは、第１の嵌合部１６と第２の嵌合部１８によって、嵌合具１０と同様の密封性の向上効果が得られる。
【００３３】
また、嵌合具付き袋体の袋本体も特に限定されず、嵌合具付き袋体の袋本体として知られる様々な形態の袋本体を採用できる。例えば、袋体１は切断補助線４８を利用して開封するまでは密封状態の袋体であったが、予め開口が形成された袋本体を有する嵌合具付き袋体であってもよい。
【符号の説明】
【００３４】
１・・・嵌合具付き袋体、１０，１０Ａ〜１０Ｄ・・・嵌合具、１２・・・第１の基材、１２ａ・・・対向面、１４・・・第２の基材、１４ａ・・・対向面、１６，１６Ａ，１６Ｂ・・・第１の嵌合部、１８，１８Ａ，１８Ｂ・・・第２の嵌合部、２０，２０Ａ，２０Ｂ・・・第１の雄側嵌合部、２２，２２Ａ，２２Ｂ・・・第１の雌側嵌合部、２４，２４Ａ，２４Ｂ・・・第２の雄側嵌合部、２６，２６Ａ，２６Ｂ・・・第２の雌側嵌合部、２８・・・第３の嵌合部、３０・・・第３の雄側嵌合部、３２・・・第３の雌側嵌合部、４０・・・袋本体。
【図１】
0005986759.tif 000002
【図２】
0005986759.tif 000003
【図３】
0005986759.tif 000004
【図４】
0005986759.tif 000005
【図５】
0005986759.tif 000006
【図６】
0005986759.tif 000007
【図７】
0005986759.tif 000008
【図８】
0005986759.tif 000009
【図９】
0005986759.tif 000010
【図１０】
0005986759.tif 000011
【図１１】
0005986759.tif 000012